(57)【要約】【課題】  スペースを有効に活用し、かつ撮像素子に不必要な熱を与えないコンデンサの配置を実現する。【解決手段】  デジタルカメラ１０は、撮影光学系ユニット１１と、表示素子ユニット１２とを有する。これら２つのユニットは、軸部１３で連結する。表示素子ユニット１２は、撮影光学系ユニット１１に対して相対的に軸部１３を中心に回動可能である。ストロボ装置は、ストロボの発光部３０を撮影光学系ユニット１１に配置する。ストロボを発光させるためのコンデンサ４０を表示素子ユニット１２に配置する。【選択図】          図３
2006066962.tif 000002
【特許請求の範囲】
【請求項１】
撮影光学系を有する撮影光学系ユニットと、前記撮影光学系で捉えられた被写体画像を表示するための表示素子を有する表示素子ユニットとが連結され、前記表示素子ユニットが前記撮影光学系ユニットに対して回動可能なデジタルカメラにおいて、
前記撮影光学系ユニットにストロボ発光部が設けられるとともに、前記表示素子ユニットに前記ストロボ発光部を発光させるためのコンデンサが設けられることを特徴とするデジタルカメラ。
【請求項２】
前記表示素子が板状を有し、前記コンデンサが前記表示素子の延長面に重ならない位置に設けられることを特徴とする請求項１に記載のデジタルカメラ。
【請求項３】
前記撮影光学系で捉えられた被写体像を画像信号に変換する撮像素子が前記撮影光学系ユニットに設けられることを特徴とする請求項１に記載のデジタルカメラ。
【請求項４】
前記画像信号に画像処理を施すとともに、前記デジタルカメラを制御するためのメイン回路が設けられた基板と、前記デジタルカメラに電源を供給するための電池と、が前記表示素子ユニット内に設けられることを特徴とする請求項３に記載のデジタルカメラ。
【請求項５】
前記基板および前記電池がそれぞれ板状を有し、前記コンデンサが、前記基板および前記電池の延長面それぞれに重なる位置に設けられることを特徴とする請求項４に記載のデジタルカメラ。
【発明の詳細な説明】
【技術分野】
【０００１】
本発明は、撮影光学系および表示素子が、それぞれ異なるユニットに設けられるデジタルカメラに関する。
【背景技術】
【０００２】
近年デジタルカメラの撮影方法は多様になり、例えばセルフタイマー撮影がしばしば行われる。ここで一般的なデジタルカメラを用いてセルフタイマー撮影を行うと、レンズが撮影者の方を向くので、レンズと反対側に設けられた表示素子は撮影者には視認できない。したがって、一般的なカメラでセルフタイマー撮影を行うと、構図を表示素子で確認することができず、満足できる画像を得ることは困難である。
【０００３】
そこで、近年、表示素子と、撮影光学系を別ユニットに設け、表示素子ユニットが、撮影光学系ユニットに対して相対的に回転するデジタルカメラが知られている。このデジタルカメラにおいては、表示素子が任意の方向に向けられるので、例えばセルフタイマー撮影においても、表示素子を視認しながら撮影することが可能である。
【０００４】
一方、従来、夜間や室内において、撮影するときの光量不足を解消するために、デジタルカメラにストロボ装置を設けることが広く知られている。ストロボ装置は、瞬間的に大きな光を発するために、高圧で電荷を供給しなければならず、通常大容量のコンデンサが備えられている（例えば特許文献１参照）。
【特許文献１】特開２０００−１２２１１６号公報
【発明の開示】
【発明が解決しようとする課題】
【０００５】
ストロボ装置の発光部は、光を効率良く、かつ均等に被写体に照射するために、撮影光学系が向けられる方向と同一の方向に向けられることが好ましい。そこで、表示素子ユニットが回転可能なデジタルカメラにおいては、発光部を撮影光学系と常に同一の方向に向かせるため、ストロボ装置を撮影光学系ユニットに設けることが考えられる。
【０００６】
しかしながら、ストロボ装置のコンデンサは、ストロボ装置の発光部に対して電荷を高圧で供給するために、比較的大型のものが用いられる。すなわち、ストロボ装置を撮影光学系ユニットに設けると、撮影光学系ユニットが大型化してしまい、結果的にデジタルカメラの小型化の妨げになる。
【０００７】
また、ストロボ装置を撮影光学系ユニットに設け、デジタルカメラを小型化しようとすると、コンデンサと、撮像素子は近接して設けなければならない。しかし、ストロボ装置のコンデンサは、高圧で電荷を蓄積するため、比較的大量の熱を発する。したがって、撮像素子は、コンデンサに近接して設けられると、このコンデンサの熱が伝播され、生成する画像の画質を悪くする。
【０００８】
そこで、本発明は、以上の問題に鑑みて成されたものであり、撮影光学系と表示素子が別ユニットに設けられたデジタルカメラであって、ストロボ装置の配置を改善することにより、カメラの小型化が実現でき、かつ撮像素子に対して、熱の悪影響を与えないデジタルカメラを提供することを目的とする。
【課題を解決するための手段】
【０００９】
本発明に係るデジタルカメラは、撮影光学系を有する撮影光学系ユニットと、撮影光学系で捉えられた被写体画像を表示するための表示素子を有する表示素子ユニットとが連結され、表示素子ユニットが撮影光学系ユニットに対して回動可能なデジタルカメラにおいて、撮影光学系ユニットにストロボ発光部が設けられるとともに、表示素子ユニットにストロボ発光部を発光させるためのコンデンサが設けられることを特徴とする。
【００１０】
表示素子が板状を有し、コンデンサが表示素子の延長面に重ならない位置に設けられることが好ましい。
【００１１】
撮影光学系で捉えられた被写体像を画像信号に変換する撮像素子が撮影光学系ユニットに設けられることが好ましい。一方、表示素子ユニット内には、画像信号に画像処理を施すとともに、デジタルカメラを制御するためのメイン回路が設けられた基板と、デジタルカメラに電源を供給するための電池とが設けられることが好ましい。基板および電池がそれぞれ板状を有し、コンデンサは、基板および電池の延長面それぞれに重なる位置に設けられることが好ましい。
【発明の効果】
【００１２】
デジタルカメラを小型化することができるとともに、コンデンサから発した熱の、撮像素子への伝播を防止することができる。
【発明を実施するための最良の形態】
【００１３】
図１は本発明に係る一実施形態を適用したデジタルカメラの背面図である。本実施形態に係るデジタルカメラ１０は、撮影光学部１４（図２参照）を有する撮影光学系ユニット１１と、液晶表示部１５を有する表示素子ユニット１２とで構成される。撮影光学系ユニット１１と表示素子ユニット１２は、それぞれ薄い箱状を有し、軸部１３によって連結される。軸部１３の軸Ｘは、図１において水平方向に延びる。表示素子ユニット１２は、その正面１２ａおよび背面１２ｂが軸Ｘの周りを回るように、軸部１３を中心に、撮影光学系ユニット１１に対して相対的に回動可能である。
【００１４】
例えば図１に示すように、表示素子ユニット１２の背面１２ｂは、撮影光学系ユニット１１の背面１１ｂと同一平面上に定められる。ここで、図１の状態から、表示素子ユニット１２が軸部１３を中心に、撮影光学系ユニット１１に対して１８０°回転させられると、図２に示すように表示素子ユニット１２の背面１２ｂは、撮影光学系ユニット１１の正面１１ａと同一の平面上に定められる。
【００１５】
液晶表示部１５は、表示窓１５ａと、液晶モニタ（表示素子）１５ｂで構成される。図１、図２に示すように、表示素子ユニット１２の背面１２ｂの大部分には液晶窓１５ａが設けられ、液晶窓１５ａの全体に面するように液晶モニタ１５ｂが、背面１２ｂの内側に設けられる。背面１２ｂにおいて、液晶窓１５ａの右横には再生スイッチ２６と、ズームスイッチ２７が設けられる。また、液晶窓１５ａの下側には、十字スティック２８、メニュースイッ２９等、複数の操作部材が設けられる。また、表示素子ユニット１２の上面１２ｃには、レリーズボタン２０、および電源スイッチ２２が設けられる。
【００１６】
図２に示すように、撮影光学系ユニット１１の正面１１ａの上方部には撮影光学部１４が設けられる。撮影光学系ユニット１１の正面の左下部にはストロボ装置の発光部３０が設けられる。発光部３０は、図２中上下方向に延びる略矩形を呈する。
【００１７】
図３は、図１の状態におけるデジタルカメラ１０の内部に設けられる各部品の配置を示す図である。撮影光学系ユニット１１に設けられた撮影光学部１４は、レンズ鏡筒１４ａと、その鏡筒内部に固定された撮影光学系（図示せず）で構成される。レンズ鏡筒１４ａは、電源がオフの状態においては、撮影光学系ユニット１１内に収納されており、電源がオン状態となると、撮影光学系ユニット１１の前方に突出させられる。
【００１８】
レンズ鏡筒１４ａは、レンズ鏡筒１４ａの周りに設けられたギア部３４によって、突出または収納させられ、ギア部３４は、図３中、レンズ鏡筒１４ａの下方に設けられたモータ３５によって駆動させられる。レンズ鏡筒１４ａの左上方には、合焦調整のときの駆動源となるフォーカシング用モータ３６が設けられる。また、レンズ鏡筒１４ａの背面１１ｂ側には、基板（図示せず）が設けられ、基板には上述の撮影光学部１４、およびギア部３４、モータ３５、３６等が実装され、さらには撮像素子も設けられる。撮像素子では、撮影光学系で捉えられた被写体像が結像され、その結像された画像が画像信号に変換される。また、撮影光学系ユニット１１の上面および側面には、三脚を固定させるための三脚台３７、および音声を採取するためのマイク３８がそれぞれ設けられる。
【００１９】
ストロボ装置の発光部３０は、光を発する細長の発光管３２と、その発光管３２を取り囲むように設けられ、発光管３２からの光を反射させるためのリフレクタ３３で構成される。発光管３２からの光、またはリフレクタ３３で反射した光は、撮影光学系１４の向く方向と同一の方向に向けて、被写体に照射される。発光部３０の背面１１ｂ側には、ストロボ回路（図示せず）が設けられ、発光部３０はそのストロボ回路に接続されている。
【００２０】
表示素子ユニット１２内には、液晶モニタ１５ｂの他に、コンデンサ４０、メイン基板４２、電池４３、記録メディア４４が設けられている。コンデンサ４０は、略円柱状を呈し、その軸が水平方向（軸Ｘの方向）に向くように配設される。液晶モニタ１５ｂ、メイン基板４２、電池４３、および記録メディア４４は、それぞれ板状を有し、それぞれ平行に、デジタルカメラ１０の厚さ方向に積層されるように設けられる。メイン基板４２には、メイン回路（図示せず）が設けられ、メイン回路は、マイコンを備えたシステムコントローラを有する。システムコントローラはデジタルカメラ１０の主動作を制御する。例えばシステムコントローラは、撮像素子から送られてきた画像信号に画像処理を施し、その画像信号を液晶モニタ１５ｂに動画あるいは静止画として表示させ、必要に応じてその動画または静止画を記録メディア４４に記録させる。電池４３は、デジタルカメラ１０の各回路、およびコンデンサ４０等に電源電圧を供給する。
【００２１】
コンデンサ４０は、電荷を高圧で蓄積可能であり、蓄積された電荷は、リード線（図示せず）を介して、ストロボ回路に高圧で送られ、その送られた電荷により、発光部３０から、瞬間的に高輝度の光が発せられる。なお、リード線は図示されないが、軸部１３の内部を通って、表示素子ユニット１２側から撮影光学系ユニット１１側に送られている。
【００２２】
図４は、図３におけるIV−IV線上の断面図を示す。表示素子ユニット１２内において、液晶モニタ１５ｂの正面１２ａ側には、隙間が設けられ、その隙間を隔てて、メイン基板４２が設けられる。この隙間には例えば液晶モニタ１５ｂのバックライト（図示せず）が設けられる。メイン基板４２の正面１２ａ側には、保持部材４５が取り付けられる。保持部材４５には記録メディア４４が嵌挿可能であり、表示素子ユニット１２の側面から挿入された記録メディア４４はメイン基板４２の正面１２ａ側に配設される。
【００２３】
表示素子ユニット１２の正面１２ａには、その全体に亘って開閉自在の蓋部４６が設けられる。蓋部４６の内面側には、底面が同一平面上に位置するように第１および第２の窪み４８、４９が設けられる。蓋部４６の第１の窪み４８の底面に対向するように表示素子ユニット１２内には、凹部４７が設けられる。凹部４７にはその凹部４７から僅かに突出するように電池４３が嵌合され、電池４３はこれにより記録メディア４４に近接して配設される。電池４３の凹部４７から突出した部分は、第１の窪み４８の底面との間に僅かな隙間が生じるように、第１の窪み４８によって覆われる。なお、第１の窪み４８の底面と電池４３の間に隙間が設けられたことにより、電池４３が使用され熱膨張した場合、その膨張分が逃げることができ、蓋部４６のスライド開閉もスムーズに行われる。また、第２の窪み４９は後述するようにコンデンサ４０の一部を覆うため、コンデンサ４０の弧形の外周に沿うように形成される。
【００２４】
コンデンサ４０は、その径が非常に大きいので、例えば電池４３の正面１２ａ側に積層するように設けると、表示素子ユニット１２の厚さが大きくなり、カメラの小型化は達成できない。したがって、本実施形態ではコンデンサ４０は、電池４３等の表示素子ユニット１２内の各部材に対して、高さ方向（図４における上下方向）に並ぶように配設させた方が良い。また、液晶モニタ１５ｂは、大きい方が視認しやすくなるので、限られたスペースでできる限り大きくした方が良い。
【００２５】
そこで、本実施形態では、液晶モニタ１５ｂの高さを、メイン基板４２、記録メディア４４、および電池４３の高さより高くし、さらに、液晶モニタ１５ｂの下方部に、例えば十字スティック２８等の操作部材を設ける。これにより、液晶モニタ１５ｂの正面１２ａ側において、メイン基板４２、記録メディア４４、および電池４３の下方部に大きな隙間（デッドスペース）を生じさせ、その生じさせたデッドスペースに、コンデンサ４０を配設する。そして、コンデンサ４０は、表示素子ユニット１２内から僅かに突出し、電池４３と同様に蓋部４６に面するように設けられる。コンデンサ４０の僅かの突出した部分は第２の窪み４９に覆われる。
【００２６】
すなわち、本実施形態においては、コンデンサ４０は、液晶モニタ１５ｂの延長面に重ならない位置に設けられるとともに、電池４３、記録メディア４４、およびメイン基板４５の延長面それぞれと重なる位置に設けられる。これにより、本実施形態においては、各部材がスペースの無駄がなく、表示素子ユニット１２の内部に効率良く収納される。
【００２７】
本実施形態においては、撮像光学系ユニット１１からコンデンサ４０をなくすことにより、撮像光学系ユニット１１を小型化することができる。これに伴いコンデンサ４０は、表示素子ユニット１２内に配設しなければならないが、コンデンサ４０は液晶モニタ１５ｂを大きくしたことによって発生した表示素子ユニット１２内のデッドスペースに収納できる。すなわち、本実施形態では、撮影光学系ユニット１１を小型化するとともに、スペースを有効に活用して液晶モニタ１５ｂを大型化することができる。
【００２８】
また、コンデンサ４０は、撮像光学系ユニット１１内に設けられ、これにより、メイン回路（図示せず）、電池４３、液晶モニタ１５ｂ、コンデンサ４０等、相対的に大きく発熱する部材について全て表示素子ユニット１２に設けられる。したがって、撮像素子には、デジタルカメラ１０の部材によって生成された熱がほとんど伝播されず、撮像素子では熱の悪影響がなく、良好な画像が生成される。
【図面の簡単な説明】
【００２９】
【図１】本発明に係る一実施形態を適用したデジタルカメラの背面図である。
【図２】本発明に係る一実施形態を適用したデジタルカメラの背面図であって、表示素子ユニットが撮影光学系ユニットに対して１８０°回転したときの状態を示す図である。
【図３】図１の状態におけるデジタルカメラの内部に設けられた各部品の配置を示す正面図である。
【図４】図３におけるIV−IV線上の断面図である。
【符号の説明】
【００３０】
１０  デジタルカメラ
１１  撮影光学系ユニット
１２  表示素子ユニット
１２ａ  正面
１２ｂ  背面
１５  液晶表示部
１５ｂ  液晶モニタ（表示素子）
４０  コンデンサ
４２  メイン基板
４３  電池
４４  記録メディア
【図１】
2006066962.tif 000003
【図２】
2006066962.tif 000004
【図３】
2006066962.tif 000005
【図４】
2006066962.tif 000006